(57)【要約】【課題】ミシン目を設ける必要がなく、包装後の被包装物品から捲るように剥がして、極めて簡単且つ円滑に当該被包装物品から開封・分離することができる易開封性（易剥離性）に優れた包装体およびその製造方法を提供する。【解決手段】被包装物品にシュリンク包装される包装体であって、包装体１０は、熱収縮性フィルムで形成される環状の被包材本体１２を含む。被包材本体１２は、被包材本体１２を環状に保持するシール部１６を有する。シール部１６は、溶剤シール可能な易剥離性を有するシール構造またはヒートシール可能な易剥離性を有するシール構造に適用され得るイージーピール樹脂層２２を含む。シール部１６の近傍には、シール部１６と略同じ長さでシール部１６と並行に延び設けられ、シール部１６の開封・剥離を支援する一連の摘み片１８が配設されている。【選択図】図１
2009007054.tif 000002
【特許請求の範囲】
【請求項１】
被包装物品にシュリンク包装される包装体であって、
前記包装体は、熱収縮性フィルムで形成される環状の被包材本体を含み、
前記被包材本体は、溶剤シール可能な易剥離性を有するシール構造またはヒートシール可能な易剥離性を有するシール構造に適用され得るイージーピール樹脂層を備えることで、前記被包材本体を環状に保持するシール部と、前記シール部の近傍に前記シール部と略同じ長さで前記シール部と並行に延び設けられ、前記シール部の開封・剥離を支援する一連の摘み片とを含むことを特徴とする、包装体。
【請求項２】
前記被包材本体は、前記イージーピール樹脂層が溶剤によりシールされることにより、環状に保持されることを特徴とする、請求項１に記載の包装体。
【請求項３】
前記被包材本体は、前記イージーピール樹脂層がヒートシールされることにより、環状に保持されることを特徴とする、請求項１に記載の包装体。
【請求項４】
熱収縮性フィルムで形成された帯状の基材を準備する工程、
前記基材の一方主面の長手方向の一端側で且つその幅方向に所定の幅と長さを持って延び設けられるイージーピール樹脂層を形成する工程、
前記基材の一方主面の長手方向の両側を前記基材の他方主面側に折り込む折込み工程、
前記基材の他方主面の長手方向の他端側で前記イージーピール樹脂層と対向させた部位に溶剤を塗布する工程、および
前記イージーピール樹脂層と前記溶剤とを当接させることにより、前記基材を環状の被包材本体に形成する溶剤シール工程を含み、
前記溶剤シール工程で溶剤シールされる部位は、前記基材の長手方向の他端から一端側に所定の間隔を隔てた位置となるように配設されていることを特徴とする、請求項１または請求項２に記載の包装体の製造方法。
【請求項５】
熱収縮性フィルムで形成された帯状の基材を準備する工程、
前記基材の一方主面の長手方向の一端側で且つその幅方向に所定の幅と長さを持って延び設けられるイージーピール樹脂層を形成する工程、
前記基材の一方主面の長手方向の両側を前記基材の他方主面側に折り込む折込み工程、
前記イージーピール樹脂層と前記基材の他方主面の長手方向の他端側とを重ね合わせる重ね合わせ工程、および
前記基材の他方主面の長手方向の他端側と重ね合わされた前記イージーピール樹脂層を加熱することにより、前記基材を環状の被包材本体に形成するヒートシール工程を含み、
前記ヒートシール工程でヒートシールされる部位は、前記基材の長手方向の他端から一端側に所定の間隔を隔てた位置となるように配設されることを特徴とする、請求項１または請求項３に記載の包装体の製造方法。
【発明の詳細な説明】
【技術分野】
【０００１】
本願発明は、包装体およびその製造方法に関し、特に、例えば、コンビニエンスストア等の店頭で陳列・販売されるインスタント食品、弁当、各種食品の容器、その他、ＰＥＴボトル等のプラスチックボトル、ガラス瓶、缶等の容器などの被包装物品を包装するのに用いられ、その開封性が改良された包装体およびその製造方法に関する。
【背景技術】
【０００２】
本願発明の背景となる従来の包装体には、たとえば蓋付きの食品容器（被包装物品）の上面から熱収縮性を有するシュリンクフィルムを環状に覆い、シュリンクフィルムを熱収縮させることによって、当該シュリンクフィルムを蓋付きの容器全面に密封包装したものがあった（例えば、特許文献１参照）。この場合、シュリンクフィルムの上面の中央には、当該シュリンクフィルムを開封するためのミシン目が設けられると共に、当該ミシン目の開封方向を示す矢印等の印が設けられている。
【０００３】
【特許文献１】実用新案登録第３０７９０９６号
【発明の開示】
【発明が解決しようとする課題】
【０００４】
しかしながら、このような従来の包装体では、シュリンクフィルムを蓋付きの食品容器（被包装物品）に熱収縮させて包装させるときに、熱収縮による緊張によってミシン目の周辺にシワが発生してミシン目が広がって見栄えを悪くしたり、あるいは、ミシン目に亀裂が発生して不用意な裂け目が走ったりするなどの不具合を生じる恐れがあった。
また、この従来の包装体では、シュリンクフィルムの延伸方向，収縮方向とミシン目の開封方向との関係等によっては、ミシン目を開封する途中で、ミシン目から不本意な方向に破断が生じる恐れがあり、この場合、ミシン目に沿った円滑できれいな開封が困難になるという不具合が生ずるものであった。
【０００５】
それゆえに、この発明の主たる目的は、ミシン目を設ける必要がなく、包装後の被包装物品から捲るように剥がして、極めて簡単且つ円滑に当該被包装物品から開封・剥離することができる易開封性（易剥離性）に優れた包装体およびその製造方法を提供することである。
【課題を解決するための手段】
【０００６】
請求項１にかかる本願発明は、被包装物品にシュリンク包装される包装体であって、包装体は、熱収縮性フィルムで形成される環状の被包材本体を含み、被包材本体は、溶剤シール可能な易剥離性を有するシール構造またはヒートシール可能な易剥離性を有するシール構造に適用され得るイージーピール樹脂層を備えることで、前記被包材本体を環状に保持するシール部と、シール部の近傍にシール部と略同じ長さでシール部と並行に延び設けられ、シール部の開封・剥離を支援する一連の摘み片とを含むことを特徴とする、包装体である。
請求項１にかかる本願発明では、熱収縮性フィルムで環状に形成された被包材本体が、被包装物品にシュリンク包装される。被包材本体は、たとえば被包装物品の周囲に被せられた後、シュリンク包装される。この包装体では、イージーピール樹脂層を有するシール部によって、被包材本体が環状に保持される。この場合、イージーピール樹脂層は、溶剤シールまたはヒートシールが可能な易剥離性を有するシール構造に適用され得るものとなっている。つまり、このイージーピール樹脂層は、溶剤シールおよびヒートシールの双方に兼用でき得るものとなっている。また、シール部の近傍には、当該シール部と略同じ長さを有する摘み片が当該シール部と並行に配設されているため、包装体を被包装物品にシュリンク包装した後、摘み片を手で摘まんでシール部の開封・剥離方向に捲れば、シール部を簡単に開封・剥離することが可能となる。
なお、摘み片は、シール部の位置および／またはシール部の開封・剥離方向を示す表示部をさらに含むものであってもよい。この場合、シール部の開封・剥離を行う者に、当該シール部の位置および／または当該シール部の開封・剥離方向を簡単に明示することが可能となる。
請求項２にかかる本願発明は、請求項１にかかる発明に従属する発明であって、被包材本体は、イージーピール樹脂層が溶剤によりシールされることにより、環状に保持されることを特徴とする、包装体である。
請求項２にかかる本願発明では、イージーピール樹脂層が溶剤で活性化されることで溶解され、易剥離性を有する溶剤シール部が形成されるものとなっている。この場合、摘み片を手で摘まんで溶剤シール部の開封・剥離方向に捲れば、当該溶剤シール部を簡単に開封・剥離することが可能となっている。
請求項３にかかる本願発明は、請求項２にかかる発明に従属する発明であって、イージーピール樹脂層がヒートシールされることにより、環状に保持されることを特徴とする、包装体である。
請求項３にかかる本願発明では、イージーピール樹脂層の部位が加熱されることによって、イージーピール樹脂層および当該イージーピール樹脂層と重ね合わされる対向部位が熱溶融して接着され、易剥離性を有するヒートシール部が形成されるものとなっている。この場合、摘み片を手で摘まんでヒートシール部の開封・剥離方向に捲れば、当該ヒートシール部を簡単に開封・剥離することが可能となっている。
請求項４にかかる本願発明は、熱収縮性フィルムで形成された帯状の基材を準備する工程と、基材の一方主面の長手方向の一端側で且つその幅方向に所定の幅と長さを持って延び設けられるイージーピール樹脂層を形成する工程と、基材の一方主面の長手方向の両側を基材の他方主面側に折り込む折込み工程と、基材の他方主面の長手方向の他端側でイージーピール樹脂層と対向させた部位に溶剤を塗布する工程と、イージーピール樹脂層と溶剤とを当接させることにより、基材を環状の被包材本体に形成する溶剤シール工程とを含み、溶剤シール工程で溶剤シールされる部位は、基材の長手方向の他端から一端側に所定の間隔を隔てた位置となるように配設されていることを特徴とする、請求項１または請求項２にかかる発明の包装体の製造方法である。
請求項４にかかる本願発明では、例えば、先ず、熱収縮性フィルムで形成された帯状の基材が準備される。次に、基材の一方主面の長手方向の一端側にイージーピール樹脂層がたとえば印刷方式によって部分的に塗布される（パートコート）。イージーピール樹脂層は、所定の幅と長さを持って、基材の一方主面の幅方向に延び設けられる。基材は、折込み工程によって、当該基材の一方主面の長手方向の両側が当該基材の他方主面側に折り込まれる。また、溶剤を塗布する工程によって、基材の他方主面の長手方向の他端側のイージーピール樹脂層と対向させた部位には、溶剤がたとえば印刷方式によって部分的に塗布される。さらに、溶剤シール工程によって、イージーピール樹脂層と溶剤とが当接される。この場合、イージーピール樹脂層を溶剤で活性化させることでイージーピール樹脂層が溶解して溶剤接着され、易剥離性を有する溶剤シール部が形成される。そのため、基材は、溶剤シール部により環状の被包材本体に保持される。この場合、溶剤シール部は、基材の長手方向の他端から一端側に所定の間隔を隔てた位置に配設されている。溶剤シール部と、基材の長手方向の他端との間の部位は、摘み片が形成される部位となっている。
請求項５にかかる本願発明は、熱収縮性フィルムで形成された帯状の基材を準備する工程と、基材の一方主面の長手方向の一端側で且つその幅方向に所定の幅と長さを持って延び設けられるイージーピール樹脂層を形成する工程と、基材の一方主面の長手方向の両側を前記基材の他方主面側に折り込む折込み工程と、イージーピール樹脂層と基材の他方主面の長手方向の他端側とを重ね合わせる重ね合わせ工程と、基材の他方主面の長手方向の他端側と重ね合わされたイージーピール樹脂層を加熱することにより、基材を環状の被包材本体に形成するヒートシール工程とを含み、ヒートシール工程でヒートシールされる部位は、基材の長手方向の他端から一端側に所定の間隔を隔てた位置となるように配設されていることを特徴とする、請求項１または請求項３にかかる発明の包装体の製造方法である。
請求項５にかかる本願発明では、例えば、先ず、熱収縮性フィルムで形成された帯状の基材が準備される。次に、基材の一方主面の長手方向の一端側にイージーピール樹脂層がたとえば印刷方式によって部分的に塗布される（パートコート）。イージーピール樹脂層は、所定の幅と長さを持って、基材の一方主面の幅方向に延び設けられる。基材は、折込み工程によって、当該基材の一方主面の長手方向の両側が当該基材の他方主面側に折り込まれる。また、基材は、重ね合わせ工程によって、イージーピール樹脂層と基材の他方主面の長手方向の他端側とが、重ね合わせられる。さらに、ヒートシール工程によって、基材の他方主面の長手方向の他端側と重ね合わされたイージーピール樹脂層が加熱されることにより、イージーピール樹脂層をパートコートした部位が熱溶融されて接着され、易剥離性を有するヒートシール部が形成される。そのため、基材は、当該ヒートシール部により環状の被包材本体に保持される。この場合、ヒートシール部は、基材の長手方向の他端から一端側に所定の間隔を隔てた位置に配設されている。ヒートシール部と、基材の長手方向の他端との間の部位は、摘み片が形成される部位となっている。
【発明の効果】
【０００７】
本願発明よれば、ミシン目を設ける必要がなく、包装後の被包装物品から捲るように剥がして極めて簡単且つ円滑に当該被包装物品から開封・剥離することができる易開封性（易剥離性）に優れた包装体およびその製造方法が得られる。
【０００８】
本願発明の上述の目的、その他の目的、特徴および利点は、図面を参照して行う以下の発明を実施するための最良の形態の説明から一層明らかとなろう。
【発明を実施するための最良の形態】
【０００９】
図１は、本願発明にかかる実施形態の一例を示す斜視図解図であって、本実施形態にかかる包装体を示すと共に、当該包装体によって被包装物品をシュリンク包装した状態の一例を示す斜視図解図である。図２は、図１の線Ａ−Ａにおける断面図解図である。図３は、シュリンク包装された被包装物品から当該包装体を開封・剥離させる途中の状態を示す斜視図解図である。
【００１０】
本実施形態例では、たとえば食品容器として用いられる被包装物品１００をシュリンク包装するための包装体１０の構造の一例について説明する。被包装物品１００は、たとえば、その中に、茹でられたソバやウドン、小袋に入れられたツユや乾燥処理されたネギ，エビ，シイタケ，その他の具材等の被収納物（図示せず）が収納される容器本体１０２と、当該容器本体１０２に取付けられる蓋体１０４とを有する。被包装物品１００の蓋体１０４は、容器本体１０２から外れないように、特に、図２に示すように、たとえば環状に形成された包装体１０によって被包装物品１００にシュリンク包装されるものである。この場合、包装体１０は、図１および図２等に示すように、たとえば被包装物品１００の上面から両側面および下面の周囲にわたって所定の幅をもって巻き付けられ、蓋体１０４の長手方向の両側部から容器本体１０２の長手方向の両側部にわたって巻き付けられた箇所の少なくとも一部分が、シュリンク包装されるものである。
【００１１】
包装体１０は、環状の被包材本体１２を含む。被包材本体１２は、たとえば図５に示すように、平面視矩形帯状の基材１４を含む。基材１４は、たとえばその長手方向に延伸方向を有すると共に、当該延伸方向に熱収縮性を有する熱収縮性プラスチックフィルムで形成されている。また、被包材本体１２には、基材１４の長手方向の一端部および他端部を接続して、当該被包材本体１２を環状に保持すると共に易剥離性の機能を備えたシール部（シール構造）１６が形成されている。さらに、被包材本体１２には、シール部１６の近傍に当該シール部１６と略同じ長さで且つ当該シール部１６と並行に延び設けられ、シール部１６の開封・剥離を支援する摘み片１８が形成されている。また、被包材本体１２には、図１および図３等に示すように、基材１４の裏面に印刷方式等により裏刷りされた印刷層２０が形成されている。この印刷層２０は、装飾部としてのたとえば波目模様の装飾ラインを形成するものである。印刷層２０は、裏刷りされているので、印刷面の磨耗、汚れ等が防止され、耐久性に富むものとなっている。
【００１２】
この包装体１０では、被包材本体１２が被包装物品１００にシュリンクされる際の影響を受け難い部位に、シール部１６、摘み片１８および印刷層２０がそれぞれ配設されている。すなわち、シール部１６、摘み片１８および印刷層２０は、被包材本体１２が被包装物品１００にシュリンクされる箇所を除いた部位、つまり、熱収縮の影響およびその際の熱影響を全く受けない非シュリンク部位に配設されている。
【００１３】
本実施形態例の包装体１０では、特に、シール部１６が、溶剤シール可能な易剥離性を有するシール構造またはヒートシール可能な易剥離性を有するシール構造に適用され得るイージーピール樹脂層２２を具備することを特徴としている。
［実施例１］
本実施形態例のシール部１６が溶剤シール可能な易剥離性を有するシール構造の場合、環状の被包材本体１２の一端側に配設されたイージーピール樹脂層２２と、被包材本体１２の他端側で且つ当該イージーピール樹脂層２２と対向する部位に配設された溶剤２４とが当接されることによって、被包材本体１２が環状にシール（溶剤接着）される。すなわち、イージーピール樹脂層２２が溶剤により活性化されて溶解することによって、被包材本体１２を環状に保持するシール部１６としての溶剤シール部が形成される。
［実施例２］
一方、本実施形態例のシール部１６がヒートシール可能な易剥離性を有するシール構造の場合、環状の被包材本体１２の一端側に配設されたイージーピール樹脂層２２と、被包材本体１２の他端側で当該イージーピール樹脂層２２と重ね合わされた部位とが、加熱されることによって、被包材本体１２が環状にヒートシールされる。すなわち、この［実施例２］では、上述の［実施例１］と比べ、イージーピール樹脂層２２を溶剤に替えて、ヒートシールすることによって、被包材本体１２を環状に保持するヒートシール部がシール部１６として形成される。
なお、上記［実施例１］および［実施例２］において、基材１４、イージーピール樹脂層２２および溶剤２４には、適宜、アンチブロッキング剤，滑剤等の機能性材料が含有されるものである。そのため、実用性に優れたものとなっている。
【００１４】
次に、上記［実施例１］にかかる包装体１０の製造方法（製造工程）の一例について、以下、図４，図５，図６，図７，図８および図９等を参照しながら説明する。
【００１５】
先ず、熱収縮性フィルムで形成された長手方向に連続する帯状の基材１４Ａ（以下、「基材１４Ａ」という。）が準備される［図４の（Ａ）を参照］。
次に、基材１４Ａの裏面には、図４の（Ｂ）に示すように、その幅方向の両側にたとえば波目模様の装飾ラインを表示する印刷層２０がそれぞれ形成される。印刷層２０は、たとえば印刷方式で裏刷りされることによって形成される。なお、図４の（Ｂ）の図示では、便宜上、基材１４Ａの裏面側を上面にして図示している。
【００１６】
また、基材１４Ａの表面の長手方向の一端側には、図４の（Ｃ）に示すように、イージーピール樹脂が部分的に塗布される（パートコート）ことによってイージーピール樹脂層２２が形成される。イージーピール樹脂層２２は、たとえば図５に示すように、所定の幅と長さを持って、基材１４Ａの表面の幅方向の一端から他端にかけて延び設けられる。そして、印刷層２０およびイージーピール樹脂層２２が形成された基材１４Ａは、一旦、その長手方向にロール状に巻き取られる（図示せず）。
なお、図４の（Ａ），（Ｂ），（Ｃ）では、基材１４Ａをたとえば製袋機（図示せず）で送る方向（あるいは基材１４Ａを巻き取る方向）を、「長手方向に連続する帯状の基材１４Ａ」の長手方向としている。
【００１７】
さらに、ロール状に巻き取られた基材１４Ａは、長手方向に巻き戻され、徐々にその径が細くなるジグ（図示せず）に挿入される。この場合、基材１４Ａは、たとえば図６に示すような扁平環状形になるように、ジグ（図示せず）によって、当該基材１４Ａの裏面の長手方向の両側が当該基材１４Ａの表面側に折り込まれる［折込み工程］。
なお、図６，図７および図８は、基材１４Ａの巻き戻し方向（送り方向）に直交する方向、つまり、長手方向に連続する帯状の基材１４Ａの幅方向に切断した状態の断面図解図である。図６を参照した上記［折込み工程］の説明文では、基材１４Ａの折り込まれる方向を断面方向で見て説明しているため、「ジグ（図示せず）によって、当該基材１４Ａの裏面の長手方向の両側が当該基材１４Ａの表面側に折り込まれる」となっているが、当該説明文中の「当該基材１４Ａの裏面の長手方向の両側」は、図６を平面的に見た場合には、「長手方向に連続する帯状の基材１４Ａの裏面の幅方向の両端」のことを示すものである。図７および図８を参照して説明する以下の説明についても、同様である。
【００１８】
次に、帯状の基材１４Ａの表面の長手方向の他端側でイージーピール樹脂層２２と対向させた部位には、たとえば図７に示すように、溶剤２４がたとえば塗布機（図示せず）によって部分的に塗布（パートコート）される［溶剤を塗布する工程］。
【００１９】
それから、イージーピール樹脂層２２と溶剤２４とが当接される［溶剤シール工程］。このとき、イージーピール樹脂層２２を溶剤２４で活性化させることでイージーピール樹脂層２２が溶解して溶剤接着され、易剥離性を有するシール部１６（溶剤シール部）が形成される（図７参照）。そのため、帯状の基材１４Ａは、当該溶剤シール部（シール部１６）によって、たとえば図８に示すように、扁平環状の被包材本体１２に形成・保持される。
【００２０】
この場合、シール部１６（溶剤シール部）は、たとえば図８に示すように、帯状の基材１４Ａの表面の長手方向の他端から一端側に所定の間隔を隔てた位置に配設されている。溶剤シール部（シール部１６）と、帯状の基材１４Ａの長手方向の他端との間の部位には、摘み片１８が形成されるものとなっている。
【００２１】
このようにして形成された長手方向に連続する帯状の包装体１０Ａは、図９に示すように、たとえば巻き取りローラ３０に巻き取られる。その後、包装体１０Ａは、適宜、その長手方向に所定の長さを持って切断されることによって、たとえば図１，図２および図３に示すような環状の包装体１０が得られるものとなっている。
【００２２】
なお、基材１４の裏面には、たとえば図５に示すように、シール部１６の位置および／またはシール部１６の開封・剥離方向を示す表示部２６を配設するようにしてもよい。すなわち、この表示部２６は、基材１４の裏面の長手方向の一端側、つまり、本実施形態例では、摘み片１８に相当する部位に、印刷方式等によって設けられた印刷層によって形成される。この場合、表示部２６は、シール部１６の開封・剥離を行う者に、当該シール部１６の位置および／または当該シール部１６の開封・剥離方向を簡単に明示することができるものとなる。表示部２６は、矢印等の記号、指先等の絵柄、「ここから剥がす」，「ここを捲る」等の文字、その他各種図形などで形成するようにしてもよい。
【００２３】
次に、上記［実施例２］にかかる包装体１０の製造方法（製造工程）の一例について説明する。［実施例２］にかかる包装体１０の製造方法（製造工程）では、上記［実施例１］にかかる包装体１０の製造方法（製造工程）と比べて、特に、相違する点は、溶剤２４を塗布する工程およびイージーピール樹脂層２２と溶剤２４とを当接させて溶剤シール部を形成する溶剤シール工程に替えて、イージーピール樹脂層２２と基材１４の表面の長手方向の他端側とを重ね合わせる重ね合わせ工程と、基材１４の表面の長手方向の他端側に重ね合わされたイージーピール樹脂層２２とを加熱することにより、基材１４を環状の被包材本体１２に形成するヒートシール工程とが設けられている点である。
【００２４】
すなわち、先ず、熱収縮性フィルムで形成された基材１４Ａが準備される［図４の（Ａ）を参照］。次に、基材１４Ａの裏面には、図４の（Ｂ）に示すように、その幅方向の両側にたとえば波目模様の装飾ラインを表示する印刷層２０がそれぞれ形成される。印刷層２０は、たとえば印刷方式で裏刷りされることによって形成される。
また、基材１４Ａの表面の長手方向の一端側には、図４の（Ｃ）に示すように、イージーピール樹脂が部分的に塗布される（パートコート）ことによってイージーピール樹脂層２２が形成される。イージーピール樹脂層２２は、たとえば図５に示すように、所定の幅と長さを持って、基材１４Ａの表面の幅方向の一端から他端にかけて延び設けられる。そして、印刷層２０およびイージーピール樹脂層２２が形成された基材１４Ａは、一旦、その長手方向にロール状に巻き取られる（図示せず）。さらに、ロール状に巻き取られた基材１４Ａは、長手方向に巻き戻され、徐々にその径が細くなるジグ（図示せず）に挿入される。この場合、基材１４は、たとえば図６に示すような扁平環状形になるように、ジグ（図示せず）によって、当該基材１４Ａの裏面の長手方向の両側が当該基材１４Ａの表面側に折り込まれる［折込み工程］。
【００２５】
さらに、イージーピール樹脂層２２と基材１４Ａの表面の長手方向の他端側とが重ね合わせられる［重ね合わせ工程］。それから、基材１４Ａの表面の長手方向の他端側に重ね合わされたイージーピール樹脂層２２が加熱されることにより、イージーピール樹脂層２２をパートコートした部位が熱溶融されて接着され、易剥離性を有するシール部１６（ヒートシール部）が形成される。そのため、基材１４Ａは、当該ヒートシール部により環状の被包材本体１２に保持される。シール部１６（ヒートシール部）は、基材１４Ａの長手方向の他端から一端側に所定の間隔を隔てた位置に配設されている。この場合、ヒートシール部と、基材１４Ａの長手方向の他端との間の部位には、摘み片が形成されるものとなる。
【００２６】
本実施形態例にかかる包装体１０の製造方法に適用され得る基材１４Ａ、イージーピール樹脂層２２および溶剤２４の材料の例について、以下、簡単に説明する。
すなわち、易剥離性を有するシール構造（シール部）１６が、主として、溶剤シールタイプの場合、基材１４Ａの材料としては、ポリエステル、塩化ビニル、ポリアミド等の熱収縮性を有するプラスチックフィルムが適用され、イージーピール樹脂層２２の材料としては、ポリエステル系樹脂のイージーピール樹脂が適用され、溶剤２４の材料としては、炭化水素系溶剤、エステル系溶剤、ケトン系溶剤等の溶剤が適用されることによって、適宜な接着剥離強度を有する易剥離性のシール構造を有する溶剤シール部（シール部１６）が形成され得る。
この易剥離性を有する溶剤シール部（シール部１６）は、イージーピール樹脂層２２と、基材１４Ａにパートコートされた溶剤２４との相溶性が良い場合に適用されて好ましいものとなる。なぜならば、イージーピール樹脂層２２が溶剤２４と当接し、活性化されて溶解されると共に当該活性化の作用により基材１４Ａもその表面がある程度溶解されて膨潤されないと、所望の強度を有するシール部１６を得ることができないためである。この場合、イージーピール樹脂層２２を形成する樹脂材料、溶剤２４の樹脂材料および基材１４Ａの樹脂材料の溶解度指数は、お互いに近いものであることが、相溶性を高める点で好ましいものである。
なお、基材１４Ａ、イージーピール樹脂層２２および溶剤２４の材料の組合せは、主として、溶剤シールタイプに適用されて好ましいものであるが、ヒートシールタイプにも、適宜、使用可能なものとなっている。
【００２７】
一方、易剥離性を有するシール構造（シール部）１６が、主として、ヒートシールタイプの場合、基材１４Ａの材料としては、ポリプロピレン、ポリエチレン等の熱収縮性を有するプラスチックフィルムが適用され、イージーピール樹脂層２２の材料としては、塩素化ポリプロピレン系樹脂、ＥＶＡ系樹脂、ＥＶＡ等のイージーピール樹脂が適用され、溶剤２４の材料としては、炭化水素系溶剤、アルコール系溶剤等の溶剤が適用されることによって、適宜な接着剥離強度を有する易剥離性のシール構造を有するヒートシール部（シール部１６）が形成され得る。なお、この基材１４Ａ、イージーピール樹脂層２２および溶剤２４の材料の組合せは、主として、ヒートシールタイプに適用されて好ましいものとなっているが、ヒートシールタイプにも、適宜、使用可能なものとなっている。
この易剥離性を有するヒートシール部（シール部１６）は、イージーピール樹脂層２２と、基材１４Ａにパートコートされた溶剤２４との相溶性があまり良くない場合に適用されて好ましいものとなる。つまり、溶剤シールタイプのシール部１６で所望の強度が得られない場合には、ヒートシールタイプのシール部１６を採用することが好ましいものとなる。このヒートシールタイプのシール部１６を採用する場合には、基材１４Ａを形成する熱収縮性フィルムの収縮率がたとえば４０％以内の低いものに限定されるようにすることが好ましいものとなる。なぜならば、基材１４Ａの収縮率が高いと、その仕上がりが美麗なものとならず、見栄えも悪いものとなるためである。
また、このヒートシールタイプのシール部１６を有する包装体１０でシュリンク包装されたインスタント食品容器（被包装物品１００）を電子レンジ等で加熱した場合には、環状の被包材本体１２が２次収縮を起すため、その際の被包材本体１２に作用する圧縮応力悪影響を防止するためにも、基材１４Ａは、収縮率の低い熱収縮性フィルムで形成されることが好ましい。
【００２８】
また、易剥離性を有するシール構造（シール部）１６が、溶剤シールタイプおよびヒートシールタイプの双方に適用される場合、基材１４Ａの材料としては、ポリスチレン等の熱収縮性を有するプラスチックフィルムが適用され、イージーピール樹脂層２２の材料としては、ＥＶＡ、アクリル系樹脂等のイージーピール樹脂が適用され、溶剤２４の材料としては、炭化水素系溶剤、エステル系溶剤、ケトン系溶剤、アルコール系溶剤等の溶剤が適用されることによって、適宜な接着剥離強度を有する易剥離性のシール構造を有する溶剤シール部またはヒートシール部（シール部１６）が形成され得る。
【００２９】
本実施形態例にかかる包装体１０では、ミシン目を設ける必要がない。そのため、ミシン目部から不本意な方向に破断が生じる恐れがなく、シュリンク包装された包装体１０を被包装物品１００からスムーズに開封・剥離させることができる。すなわち、本実施形態例にかかる包装体１０では、たとえば図３に示すように、包装後の被包装物品１００から包装体１０の摘み片１８を捲るように剥がして、極めて簡単且つ円滑に当該被包装物品１００から包装体１０を開封・剥離することができる。
【００３０】
また、本実施形態例にかかる包装体１０では、易剥離性を有するシール部１６が配設されているため、当該包装体１０でシュリンク包装されたたとえばインスタント食品の容器（被包装物品）を電子レンジ等で加熱した場合であっても、当該シール部１６を摘み片１８により簡単に捲って開封・剥離させることができる。
一方、たとえば従来技術（特許文献１）に示すようなミシン目が設けられた包装体でシュリンク包装されたインスタント食品を同様に加熱した場合、ミシン目の両サイドを手で持って、当該ミシン目を引裂き・切断して開封される。このとき、ミシン目の両サイドは、加熱されているため、開封作業が困難で時として安全性に欠けるものとなっている。
ところが、本実施形態例にかかる包装体１０では、上述したように、易剥離性を有するシール部１６を摘み片１８により簡単に捲って開封・剥離させることができるため、従来の包装体のような不具合を解消することが可能となっている。
【００３１】
なお、上述の実施形態例では、容器本体１０２および当該容器本体１０２に取付けられる蓋体１０４を有する被包装物品１００に、包装体１０がシュリンク包装されたが、当該包装体１０は、そのような態様に限定されるものではなく、たとえば蓋体を有しない容器、あるいは、容器等に被収納物を収納しないで、単体の被包装物品を複数まとめて直接シュリンク包装する態様にも適宜用いられ得るものである。
【図面の簡単な説明】
【００３２】
【図１】本願発明にかかる実施形態の一例を示す斜視図解図であって、本実施形態にかかる包装体を示すと共に、当該包装体によって被包装物品をシュリンク包装した状態の一例を示す斜視図解図である。
【図２】図１の線Ａ−Ａにおける断面図解図である。
【図３】シュリンク包装された被包装物品から包装体を開封・剥離させる途中の状態を示す斜視図解図である。
【図４】図１〜図３に示す包装体の製造方法（製造工程）の一例を示す図解図であって、特に、（Ａ）は包装体の被包材本体の基材となる熱収縮性フィルムの一例を示す断面図解図であり、（Ｂ）は当該基材の一方主面に印刷層を形成した状態を示す断面図解図であり、（Ｃ）は当該基材の他方主面の長手方向の一端側にイージーピール樹脂層を形成した状態を示す断面図解図である。
【図５】図４の（Ａ），（Ｂ），（Ｃ）の製造工程により、基材の一方主面に印刷層が形成され、当該基材の他方主面の長手方向の一端側にイージーピール樹脂層が形成された状態を示す枚葉形の単体の包装体の平面図解図である。
【図６】図１〜図３に示す包装体の製造方法（製造工程）を示す他の図解図であって、特に、図４の（Ａ），（Ｂ），（Ｃ）に引き続いて行われる折込み工程の一例を示す断面図解図である。
【図７】図１〜図３に示す包装体の製造方法（製造工程）を示すさらに他の図解図であって、特に、図６に引き続いて、イージーピール樹脂層と対向する部位に溶剤を塗布して溶剤層を形成する工程の一例を示す断面図解図である。
【図８】図１〜図３に示す包装体の製造方法（製造工程）を示すさらに他の図解図であって、特に、図７に引き続いて、イージーピール樹脂層と溶剤層とを接合させて基材を環状の被包材本体に形成する溶剤シール工程の一例を示す断面図解図である。
【図９】図１〜図３に示す包装体の製造方法（製造工程）を示すさらに他の図解図であって、特に、図８に引き続いて、長手方向に連続する帯状の包装体をロール状に巻き取る状態の一例を示す斜視図解図である。
【符号の説明】
【００３３】
１０  包装体
１０Ａ  長手方向に連続する帯状の包装体
１２  被包材本体
１４  基材
１４Ａ  長手方向に連続する帯状の基材
１６  シール部（易剥離性を有するシール構造）
１８  摘み片
２０  印刷層
２２  イージーピール樹脂層
２４  溶剤
２６  表示部
２８  摘み片形成部位
３０  巻取りローラ
１００  被包装物品
１０２  容器本体
１０４  蓋体
【図１】
2009007054.tif 000003
【図２】
2009007054.tif 000004
【図３】
2009007054.tif 000005
【図４】
2009007054.tif 000006
【図５】
2009007054.tif 000007
【図６】
2009007054.tif 000008
【図７】
2009007054.tif 000009
【図８】
2009007054.tif 000010
【図９】
2009007054.tif 000011